(57)【要約】【課題】  点検の作業効率を向上させることができるダブルデッキエレベータを提供する。【解決手段】  ダブルデッキエレベータは、外かご及び内かごを手動で昇降する情報が入力される複数の入力装置と、入力装置に入力された情報に基づいて、かごの昇降を制御する制御部と、を備え、複数の入力装置は、第１内かごの内部と、第２内かごの内部と、第１及び第２内かごの外部と、にそれぞれ配置される。【選択図】  図２
2020117407.tif 000002
【特許請求の範囲】
【請求項１】
昇降する外かごと、
前記外かごの内部で上下方向に並列され、少なくとも一方が前記外かごに対して昇降する第１及び第２内かごと、
前記外かご及び前記内かごを手動で昇降する情報が入力される複数の入力装置と、
前記入力装置に入力された情報に基づいて、前記かごの昇降を制御する制御部と、を備え、
前記複数の入力装置は、前記第１内かごの内部と、前記第２内かごの内部と、前記第１及び第２内かごの外部と、にそれぞれ配置される、ダブルデッキエレベータ。
【請求項２】
請求項１に記載のダブルデッキエレベータに用いられる入力装置であって、
前記外かご及び前記内かごを昇降する情報が入力される、入力装置。
【発明の詳細な説明】
【技術分野】
【０００１】
本発明は、昇降する外かごと、外かごの内部で上下方向に並列される第１及び第２内かごとを備えるダブルデッキエレベータと、該ダブルデッキエレベータに用いられる入力装置とに関する。
【背景技術】
【０００２】
従来、エレベータとして、ダブルデッキエレベータが、知られている（例えば、特許文献１）。ダブルデッキエレベータは、昇降する外かごと、外かごの内部で上下方向に並列され、外かごに対して昇降する第１及び第２内かごとを備えている。そして、ダブルデッキエレベータを点検する際には、かごの運転が自動運転から手動運転に切り替えられ、かごが手動運転によって昇降する。
【０００３】
ところで、特許文献１に係るダブルデッキエレベータにおいては、かごの点検をする際に、外かごの上部の位置で、内かごを手動運転によって昇降させることができる。しかしながら、点検する場所は、外かごの上部だけではないため、点検する場所と内かごを操作する場所（外かごの上部）とを往復する必要があり、点検の作業効率が悪い。
【先行技術文献】
【特許文献】
【０００４】
【特許文献１】特開２００３−７３０５６号公報
【発明の概要】
【発明が解決しようとする課題】
【０００５】
そこで、課題は、点検の作業効率を向上させることができるダブルデッキエレベータ及び入力装置を提供することである。
【課題を解決するための手段】
【０００６】
ダブルデッキエレベータは、昇降する外かごと、前記外かごの内部で上下方向に並列され、少なくとも一方が前記外かごに対して昇降する第１及び第２内かごと、前記外かご及び前記内かごを手動で昇降する情報が入力される複数の入力装置と、前記入力装置に入力された情報に基づいて、前記かごの昇降を制御する制御部と、を備え、前記複数の入力装置は、前記第１内かごの内部と、前記第２内かごの内部と、前記第１及び第２内かごの外部と、にそれぞれ配置される。
【０００７】
また、ダブルデッキエレベータにおいては、前記入力装置は、前記外かごを昇降する情報が入力される外かご昇降部と、前記内かごを昇降する情報が入力される内かご昇降部と、を備え、前記外かご昇降部は、前記外かごが上方向に移動する情報が入力される第１方向部と、前記外かごが下方向に移動する情報が入力される第２方向部と、を備え、前記内かご昇降部は、前記内かごが上下方向のうち第１方向に移動する情報が入力される第１方向部と、前記内かごが上下方向のうち第２方向に移動する情報が入力される第２方向部と、を備える、という構成でもよい。
【０００８】
また、ダブルデッキエレベータにおいては、前記入力装置は、昇降する対象として前記外かご又は前記内かごの何れか一方を選択する情報が入力されるかご選択部を備える、という構成でもよい。
【０００９】
また、ダブルデッキエレベータにおいては、前記入力装置は、前記外かごを昇降する情報が入力される外かご昇降部と、前記内かごを昇降する情報が入力される内かご昇降部と、をさらに備え、前記かご選択部、前記外かご昇降部、及び前記内かご昇降部は、それぞれ別体であり、前記制御部は、所定の前記入力装置の前記かご選択部に前記外かごを選択する情報が入力されている際に、当該所定の前記入力装置の前記内かご昇降部に入力された情報を無効にする、又は、当該所定の前記入力装置の前記内かご昇降部への入力を停止させると共に、所定の前記入力装置の前記かご選択部に前記内かごを選択する情報が入力されている際に、当該所定の前記入力装置の前記外かご昇降部に入力された情報を無効にする、又は、当該所定の前記入力装置の前記外かご昇降部への入力を停止させる、という構成でもよい。
【００１０】
また、入力装置は、前記のダブルデッキエレベータに用いられる入力装置であって、前記外かご及び前記内かごを昇降する情報が入力される。
【発明の効果】
【００１１】
以上の如く、ダブルデッキエレベータ及び入力装置は、点検の作業効率を向上させることができる、という優れた効果を奏する。
【図面の簡単な説明】
【００１２】
【図１】図１は、一実施形態に係るダブルデッキエレベータの全体概要図である。
【図２】図２は、同実施形態に係るダブルデッキエレベータの要部概要図である。
【図３】図３は、同実施形態に係る入力装置のブロック図である。
【図４】図４は、同実施形態に係るダブルデッキエレベータのブロック図である。
【発明を実施するための形態】
【００１３】
以下、ダブルデッキエレベータにおける一実施形態について、図１〜図４を参照しながら説明する。なお、各図において、図面の寸法比と実際の寸法比とは、必ずしも一致しておらず、また、各図面の間での寸法比も、必ずしも一致していない。
【００１４】
図１に示すように、本実施形態に係るダブルデッキエレベータ（以下、単に「エレベータ」ともいう）１は、昇降する外かご２と、外かご２の内部で上下方向に並列され、外かご２に対して昇降する第１及び第２内かご３，４とを備えている。なお、第１内かご３は、第２内かご４よりも上方に配置されている。
【００１５】
エレベータ１は、外かご２を昇降させる外かご駆動部５と、第１及び第２内かご３，４を昇降させる内かご駆動部６とを備えている。また、エレベータ１は、外かご駆動部５及び内かご駆動部６を制御することで、かご２〜４の昇降を制御する制御部７を備えている。
【００１６】
エレベータ１は、各乗場に配置される乗場操作部１ａと、内かご３，４の内部に配置されるかご操作部１ｂ，１ｂとを備えている。そして、各操作部１ａ，１ｂがユーザに操作される（例えば、押しボタンが押される）ことで、各操作部１ａ，１ｂに、情報が入力される。
【００１７】
例えば、乗場操作部１ａには、移送を希望する方向（上方、下方）の指示情報が入力され、かご操作部１ｂには、移送を希望する乗場（例えば、階数）や扉の開閉の指示情報が入力される。なお、各操作部１ａ，１ｂは、制御部７と電気的に接続されており、制御部７との間で電気信号の送受信を行うことができる。
【００１８】
外かご駆動部５は、一端部が外かご２に接続される第１ロープ５ａと、第１ロープ５ａの他端部に接続される釣合錘５ｂと、第１ロープ５ａが巻き掛けられる第１綱車５ｃと、第１綱車５ｃを回転させる第１駆動源５ｄと備えている。そして、第１駆動源５ｄが第１綱車５ｃを回転させることで、外かご２は、外かごレール（図示及び採番していない）に案内されて、昇降する。なお、外かご駆動部５は、当該ロープ式の駆動機構に限られず、例えば、リニアモータ式や油圧式の駆動機構でもよい。
【００１９】
図２に示すように、外かご２は、上下方向に離間して配置される上枠２ａ及び下枠２ｂと、上下方向に沿って延び、上枠２ａと下枠２ｂとにそれぞれ固定される縦枠２ｃとを備えている。なお、第１ロープ５ａの一端部は、外かご２の上枠２ａに固定されている。
【００２０】
内かご駆動部６は、第２ロープ６ａと、第２ロープ６ａが巻き掛けられる第２綱車６ｂと、第２綱車６ｂを回転させる第２駆動源６ｃと、第２ロープ６ａが巻き掛けられる第１吊車６ｄ，６ｄ及び第２吊車６ｅ，６ｅとを備えている。なお、第２綱車６ｂは、外かご２の上枠２ａに固定され、第１吊車６ｄ，６ｄは、第１内かご３の上部に固定され、第２吊車６ｅ，６ｅは、第２内かご４の下部に固定されている。また、第２ロープ６ａの各端部は、外かご２の上枠２ａに固定されている。
【００２１】
そして、第２駆動源６ｃが第２綱車６ｂを回転させることで、第１及び第２内かご３，４は、それぞれ内かごレール（図示及び採番していない）に案内されて、昇降する。具体的には、第１及び第２内かご３，４は、互いの距離が変わるように、それぞれ移動する。即ち、第１及び第２内かご３，４のうち、一方が上昇し、他方が下降する。
【００２２】
なお、内かご駆動部６は、当該ロープ式の駆動機構に限られず、例えば、パンタグラフ式の駆動機構でもよい。また、内かご駆動部６は、第１及び第２内かご３，４の両方が外かご２に対して昇降する、という構成に限られず、例えば、第１及び第２内かご３，４の何れか一方のみが外かご２に対して昇降する、という構成でもよい。
【００２３】
エレベータ１は、点検者によって、かご２〜４を手動で昇降する情報が入力される複数の入力装置８を備えている。複数の入力装置８において、第１及び第２内かご３，４の外部に配置される入力装置８は、外入力装置８ａ〜８ｄといい、また、内かご３，４の内部に配置される入力装置８は、内入力装置８ｅ，８ｆという。
【００２４】
第１外入力装置８ａは、外かご２の上枠２ａに配置され、第２外入力装置８ｂは、外かご２の下枠２ｂに配置され、第３外入力装置８ｃは、第１内かご３の上部に配置され、第４外入力装置８ｄは、第２内かご４の上部に配置されている。また、第１内入力装置８ｅは、第１内かご３の内部に配置され、第２内入力装置８ｆは、第２内かご４の内部に配置されている。
【００２５】
入力装置８は、別体である第１及び第２入力部９，１０を備えている。そして、入力装置８（第１及び第２入力部９，１０）は、制御部７と電気的に接続されており、制御部７との間で電気信号の送受信を行うことができる。なお、それぞれの入力装置８において、第１入力部９と第２入力部１０とは、互いに関連付けられている。
【００２６】
また、第１入力部９は、かご２（３，４）に固定されており、第２入力部１０は、かご２（３，４）に固定される中継部１１に、ケーブル１２によって接続されている。これにより、第１入力部９は、固定されるかご２（３，４）に対して、不動であり、第２入力部１０は、ケーブル１２の長さの範囲で、持ち運びされる。
【００２７】
なお、各入力部９，１０は、斯かる構成に限られない。例えば、第１入力部９は、ケーブル１２の長さの範囲で持ち運びされるように、かご２（３，４）に固定される中継部１１に、ケーブル１２によって接続されている、という構成でもよい。また、例えば、第２入力部１０は、固定されるかご２（３，４）に対して不動となるように、かご２（３，４）に固定されている、という構成でもよい。
【００２８】
このように、複数の入力装置８は、第１及び第２内かご３，４の外部と、第１及び第２内かご３，４のそれぞれの内部とにそれぞれ配置されている。これにより、第１及び第２内かご３，４の外部と、第１及び第２内かご３，４のそれぞれの内部とのそれぞれの位置で、かご２〜４を手動によって昇降させることができる。したがって、点検の作業効率を向上させることができる。
【００２９】
図３に示すように、第１入力部９は、かご２〜４の自動運転又は手動運転を選択する情報が入力される運転選択部９ａを備えている。例えば、運転選択部９ａは、セレクタスイッチである。
【００３０】
第２入力部１０は、かご２〜４の昇降を停止する情報が入力されるかご停止部１０ａを備えている。また、第２入力部１０は、昇降する対象として外かご２又は内かご３，４の何れか一方を選択する情報が入力されるかご選択部１０ｂと、外かご２を昇降する情報が入力される外かご昇降部１０ｃと、内かご３，４を昇降する情報が入力される内かご昇降部１０ｄとを備えている。
【００３１】
なお、かご停止部１０ａ、かご選択部１０ｂ、外かご昇降部１０ｃ、及び内かご昇降部１０ｄは、それぞれ別体である。例えば、かご停止部１０ａは、セレクタスイッチや自己保持型で手動リセット型の押しボタン（所謂、非常停止ボタン）であり、また、例えば、かご選択部１０ｂは、セレクタスイッチである。
【００３２】
外かご昇降部１０ｃは、外かご２が第１方向に移動する情報が入力される第１方向部１０ｅと、外かご２が第２方向に移動する情報が入力される第２方向部１０ｆと、外かご２を移動する情報が入力される移動部１０ｇとを備えている。例えば、第１方向部１０ｅ、第２方向部１０ｆ、及び移動部１０ｇは、それぞれ自動リセット型の押しボタンである。なお、本実施形態においては、第１方向は、上方向とし、第２方向は、下方向としている。
【００３３】
内かご昇降部１０ｄは、内かご３，４が第１方向に移動する情報が入力される第１方向部１０ｈと、内かご３，４が第２方向に移動する情報が入力される第２方向部１０ｉと、内かご３，４を移動する情報が入力される移動部１０ｊとを備えている。例えば、第１方向部１０ｈ、第２方向部１０ｉ、及び移動部１０ｊは、それぞれ自動リセット型の押しボタンである。なお、本実施形態においては、第１方向は、内かご３，４同士が離れる方向とし、第２方向は、内かご３，４同士が近づく方向としている。
【００３４】
図４に示すように、制御部７は、各種情報を記憶する記憶部７ａと、各種情報を演算する演算部７ｂと、各操作部１ａ，１ｂ及び各入力装置８に入力された情報に基づいて、各駆動源５ｄ，６ｃを制御する駆動源制御部７ｃとを備えている。そして、制御部７は、各駆動源５ｄ，６ｃを制御することで、かご２〜４の昇降を制御している。
【００３５】
本実施形態に係るエレベータ１の構成については以上の通りであり、次に、本実施形態に係る制御装置７の各制御について説明する。
【００３６】
まず、運転モードの切り替え制御について説明する。
【００３７】
点検者は、エレベータ１を点検する際に、点検場所の最も近い入力装置８の運転選択部９ａに、手動運転を選択する情報を入力する。そして、少なくとも一つの入力装置８の運転選択部９ａに、手動運転を選択する情報が入力されることで、制御部７は、手動運転モードで、かご２〜４の昇降を制御する。手動運転モードの際には、制御部７は、点検者が入力装置８に入力した情報に基づいて、かご２〜４の昇降を制御する。
【００３８】
一方、全ての入力装置８の運転選択部９ａに、自動運転を選択する情報が入力されている場合には、制御部７は、自動運転モードで、かご２〜４の昇降を制御する。自動運転モードの際には、制御部７は、ユーザが操作部１ａ，１ｂに入力した情報に基づいて、かご２〜４の昇降を制御する。なお、手動運転モードのかご２〜４の移動速度は、自動運転モードのかご２〜４の移動速度よりも、遅い。
【００３９】
次に、手動運転モードのかご２〜４の昇降制御について説明する。
【００４０】
まず、点検者が、所定の入力装置８の運転選択部９ａに、手動運転を選択する情報を入力する。そして、例えば、点検者が、当該入力装置８のかご選択部１０ｂに、外かご２を選択する情報を入力している際に、外かご昇降部１０ｃの第１方向部１０ｅと移動部１０ｇとに、移動する情報を同時に入力すると、制御部７は、外かご２を上昇させる。また、例えば、点検者が、当該入力装置８のかご選択部１０ｂに、外かご２を選択する情報を入力している際に、外かご昇降部１０ｃの第２方向部１０ｆと移動部１０ｇとに、移動する情報を同時に入力すると、制御部７は、外かご２を下降させる。
【００４１】
このとき、外かご昇降部１０ｃにおいて、第１方向部１０ｅ又は第２方向部１０ｆと、移動部１０ｇとに、移動する情報を同時に入力しない場合には、外かご昇降部１０ｃに入力された情報は、制御部７で無効にされる。具体的には、第１方向部１０ｅのみ、第２方向部１０ｆのみ、移動部１０ｇのみ、第１及び第２方向部１０ｅ，１０ｆのみに、情報が入力された場合には、当該情報は、制御部７で無効にされる。
【００４２】
また、かご選択部１０ｂに、外かご２を選択する情報が入力されている際に、内かご昇降部１０ｄに入力された情報は、制御部７で無効にされる。具体的には、かご選択部１０ｂに、外かご２を選択する情報が入力されている際に、内かご昇降部１０ｄにおいて、第１方向部１０ｈ、第２方向部１０ｉ、及び移動部１０ｊに情報が入力された場合には、当該情報は、制御部７で無効にされる。
【００４３】
なお、本明細書において、「制御部７が情報を無効にする（情報が制御部７で無効にされる）」とは、入力装置８に入力された情報を、制御部７の制御（かご２〜４の昇降の制御）に使用しない形態の全てを含む。例えば、制御部７が入力装置８からの情報（入力信号）を認識しない、という形態だけでなく、制御部７が入力装置８からの情報（入力信号）を認識しつつも制御に使用しない、という形態も含む。
【００４４】
また、例えば、点検者が、当該入力装置８のかご選択部１０ｂに、内かご３，４を選択する情報を入力している際に、内かご昇降部１０ｄの第１方向部１０ｈと移動部１０ｊとに、移動する情報を同時に入力すると、制御部７は、内かご３，４同士を離れるように移動させる。また、例えば、点検者が、当該入力装置８のかご選択部１０ｂに、内かご３，４を選択する情報を入力している際に、内かご昇降部１０ｄの第２方向部１０ｉと移動部１０ｊとに、移動する情報を同時に入力すると、制御部７は、内かご３，４同士を近づけるように移動させる。
【００４５】
このとき、内かご昇降部１０ｄにおいて、第１方向部１０ｈ又は第２方向部１０ｉと、移動部１０ｊとに、移動する情報を同時に入力しない場合には、内かご昇降部１０ｄに入力された情報は、制御部７で無効にされる。具体的には、第１方向部１０ｈのみ、第２方向部１０ｉのみ、移動部１０ｊのみ、第１及び第２方向部１０ｈ，１０ｉのみに、情報が入力された場合には、当該情報は、制御部７で無効にされる。
【００４６】
また、かご選択部１０ｂに、内かご３，４を選択する情報が入力されている際に、外かご昇降部１０ｃに入力された情報は、制御部７で無効にされる。具体的には、かご選択部１０ｂに、内かご３，４を選択する情報が入力されている際に、外かご昇降部１０ｃにおいて、第１方向部１０ｅ、第２方向部１０ｆ、及び移動部１０ｇに情報が入力された場合には、当該情報は、制御部７で無効にされる。
【００４７】
このように、かご選択部１０ｂで昇降する対象のかご２〜４を選択すると共に、外かご昇降部１０ｃ及び内かご昇降部１０ｄのうち、昇降する対象のかご昇降部１０ｃ，１０ｄを操作することで、対象のかご２（３，４）を昇降させることができる。したがって、昇降させるかご２（３，４）を誤操作することを、二重で防止している。
【００４８】
なお、運転選択部９ａに自動運転を選択する情報が入力されている入力装置８に対して、かご選択部１０ｂ及びかご昇降部１０ｃ，１０ｄに入力された情報は、制御部７で無効にされる。但し、運転選択部９ａに自動運転を選択する情報が入力されている入力装置８に対して、かご停止部１０ａに入力された情報は、制御部７で無効にされず、制御部７は、かご２〜４の昇降を停止する。
【００４９】
以上より、本実施形態に係るダブルデッキエレベータ１は、昇降する外かご２と、前記外かご２の内部で上下方向に並列され、少なくとも一方が前記外かご２に対して昇降する第１及び第２内かご３，４と、前記外かご２及び前記内かご３，４を手動で昇降する情報が入力される複数の入力装置８と、前記入力装置８に入力された情報に基づいて、前記かご２〜４の昇降を制御する制御部７と、を備え、前記複数の入力装置８は、前記第１内かご３の内部と、前記第２内かご４の内部と、前記第１及び第２内かご３，４の外部と、にそれぞれ配置される。
【００５０】
斯かる構成によれば、入力装置８に、外かご２及び内かご３，４を手動で昇降する情報が入力される。そして、複数の入力装置８は、第１内かご３の内部と、第２内かご４の内部と、第１及び第２内かご３，４の外部と、にそれぞれ配置されている。これにより、第１内かご３の内部と、第２内かご４の内部と、第１及び第２内かご３，４の外部とのそれぞれの位置で、かご２〜４を昇降させることができる。したがって、点検の作業効率を向上させることができる。
【００５１】
また、本実施形態に係るダブルデッキエレベータ１においては、前記入力装置８は、昇降する対象として前記外かご２又は前記内かご３，４の何れか一方を選択する情報が入力されるかご選択部１０ｂを備える、という構成である。
【００５２】
斯かる構成によれば、かご選択部１０ｂに、昇降する対象として外かご２又は内かご３，４の何れか一方を選択する情報が入力される。これにより、昇降する対象のかご２（３，４）を誤操作することを防止することができる。
【００５３】
また、本実施形態に係るダブルデッキエレベータ１においては、前記入力装置８は、前記外かご２を昇降する情報が入力される外かご昇降部１０ｃと、前記内かご３，４を昇降する情報が入力される内かご昇降部１０ｄと、をさらに備え、前記かご選択部１０ｂ、前記外かご昇降部１０ｃ、及び前記内かご昇降部１０ｄは、それぞれ別体であり、前記制御部７は、所定の前記入力装置８の前記かご選択部１０ｂに前記外かご２を選択する情報が入力されている際に、当該所定の前記入力装置８の前記内かご昇降部１０ｄに入力された情報を無効にする、又は、当該所定の前記入力装置８の前記内かご昇降部１０ｄへの入力を停止させる（本実施形態においては、内かご昇降部１０ｄに入力された情報を無効にする）と共に、所定の前記入力装置８の前記かご選択部１０ｂに前記内かご３，４を選択する情報が入力されている際に、当該所定の前記入力装置８の前記外かご昇降部１０ｃに入力された情報を無効にする、又は、当該所定の前記入力装置８の前記外かご昇降部１０ｃへの入力を停止させる（本実施形態においては、外かご昇降部１０ｃに入力された情報を無効にする）、という構成である。
【００５４】
斯かる構成によれば、外かご昇降部１０ｃに、外かご２を昇降する情報が入力され、内かご昇降部１０ｄに、内かご３，４を昇降する情報が入力される。また、かご選択部１０ｂ、外かご昇降部１０ｃ、及び内かご昇降部１０ｄは、それぞれ別体である。
【００５５】
そして、所定の入力装置８のかご選択部１０ｂに、外かご２を選択する情報が入力されている際に、当該所定の入力装置８の内かご昇降部１０ｄに入力された情報が、無効にされる、又は、当該所定の入力装置８の内かご昇降部１０ｄへの入力が、停止される（本実施形態においては、内かご昇降部１０ｄに入力された情報を無効にする）。これにより、外かご２が選択され、且つ、外かご２の昇降が指示されることで、外かご２を操作できるため、昇降する対象のかご２（３，４）を誤操作することを防止することができる。
【００５６】
また、所定の入力装置８のかご選択部１０ｂに、内かご３，４を選択する情報が入力されている際に、当該所定の入力装置８の外かご昇降部１０ｃに入力された情報が、無効にされる、又は、当該所定の入力装置８の外かご昇降部１０ｃへの入力が、停止される（本実施形態においては、外かご昇降部１０ｃに入力された情報を無効にする）。これにより、内かご３，４が選択され、且つ、内かご３，４の昇降が指示されることで、内かご３，４を操作できるため、昇降する対象のかご２（３，４）を誤操作することを防止することができる。
【００５７】
なお、ダブルデッキエレベータ１は、上記した実施形態の構成に限定されるものではなく、また、上記した作用効果に限定されるものではない。また、ダブルデッキエレベータ１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５８】
（１）上記実施形態に係るダブルデッキエレベータ１においては、入力装置８は、第１及び第２内かご３，４の外部に四つ備えられると共に、第１及び第２内かご３，４の内部にそれぞれ備えられている、という構成である。しかしながら、ダブルデッキエレベータ１は、斯かる構成に限られない。
【００５９】
（２）また、上記実施形態に係るダブルデッキエレベータ１においては、入力装置８は、運転選択部９ａと別体であるかご停止部１０ａを備えている、という構成である。しかしながら、ダブルデッキエレベータ１は、斯かる構成に限られない。例えば、入力装置８は、かご停止部１０ａを備えていない、という構成でもよい。
【００６０】
また、例えば、入力装置８は、運転選択部９ａと一体であるかご停止部１０ａを備えている、という構成でもよい。具体的には、手動運転、自動運転、又はかご２〜４の昇降停止のうち、何れか一つを選択する３ノッチのセレクタスイッチとすることで、運転選択部９ａとかご停止部１０ａとを一体にする、という構成でもよい。
【００６１】
（３）また、上記実施形態に係るダブルデッキエレベータ１においては、第１入力部９と第２入力部１０とは、別体である、という構成である。しかしながら、ダブルデッキエレベータ１は、斯かる構成に限られない。例えば、第１入力部９と第２入力部１０とは、一体である、という構成でもよい。
【００６２】
（４）また、上記実施形態に係るダブルデッキエレベータ１においては、かご選択部１０ｂ、外かご昇降部１０ｃ、及び内かご昇降部１０ｄが、それぞれ別体で備えられている、という構成である。しかしながら、ダブルデッキエレベータ１は、斯かる構成に限られない。例えば、かご選択部１０ｂと共通（１つ）のかご昇降部とが、別体で備えられている、という構成でもよく、また、かご選択部１０ｂが備えられておらず、外かご昇降部１０ｃ及び内かご昇降部１０ｄが、それぞれ別体で備えられている、という構成でもよい。
【００６３】
（５）また、上記実施形態に係るダブルデッキエレベータ１においては、制御部７は、入力装置８の外部に配置されている、という構成である。しかしながら、ダブルデッキエレベータ１は、斯かる構成に限られない。例えば、制御部７の一部（以下、「内制御部」という）は、入力装置８の内部に配置され、制御部７の他部（以下、「外制御部」という）は、入力装置８の外部に配置され、制御部７の一部と他部とは、通信可能である、という構成でもよい。
【００６４】
そして、内制御部が、かご昇降部１０ｃ，１０ｄから入力される情報を無効にする、という構成でもよい。例えば、内制御部が、入力装置８に入力された情報を、外制御部に向けて出力することを停止することよって、制御部７は、かご昇降部１０ｃ，１０ｄから入力される情報を無効にする、という構成でもよい。
【００６５】
（６）また、上記実施形態に係るダブルデッキエレベータ１においては、制御部７は、所定の要件を満たす際に、かご昇降部１０ｃ，１０ｄから入力される情報を無効にする、という構成である。しかしながら、ダブルデッキエレベータ１は、斯かる構成に限られない。例えば、制御部７は、所定の要件を満たす際に、かご昇降部１０ｃ，１０ｄへの入力を停止させる、という構成でもよい。
【００６６】
斯かる構成の一例として、かご昇降部１０ｃ，１０ｄの動作を機械的に停止させる構成が挙げられる。例えば、かご昇降部１０ｃ，１０ｄが押しボタンである場合に、制御部７は、所定の要件を満たす際に、押しボタンを機械的にロックして、押しボタンが動作できないようにすることで、かご昇降部１０ｃ，１０ｄへの入力を停止させる、という構成を採用することができる。
【００６７】
また、斯かる構成の別な例として、かご昇降部１０ｃ，１０ｄの表示を停止させる構成が挙げられる。例えば、かご昇降部１０ｃ，１０ｄがタッチパネル上に表示されるタッチボタンである場合に、制御部７は、所定の要件を満たす際に、タッチパネル上に何れかのかご昇降部１０ｃ（１０ｄ）の表示を停止（例えば、何れか一方のかご昇降部１０ｃ（１０ｄ）のみ表示）することで、かご昇降部１０ｃ，１０ｄへの入力を停止させる、という構成を採用することができる。
【００６８】
（７）また、ダブルデッキエレベータ１においては、入力装置８は、かご２（３，４）に対して、着脱可能に構成されている、という構成でもよい。例えば、第１入力部９及び第２入力部１０の少なくとも一方が、かご２（３，４）に対して、着脱可能に構成されている、という構成でもよい。
【符号の説明】
【００６９】
１…ダブルデッキエレベータ、１ａ…乗場操作部、１ｂ…かご操作部、２…外かご、２ａ…上枠、２ｂ…下枠、２ｃ…縦枠、３…第１内かご、４…第２内かご、５…外かご駆動部、５ａ…第１ロープ、５ｂ…釣合錘、５ｃ…第１綱車、５ｄ…第１駆動源、６…内かご駆動部、６ａ…第２ロープ、６ｂ…第２綱車、６ｃ…第２駆動源、６ｄ…第１吊車、６ｅ…第２吊車、７…制御部、７ａ…記憶部、７ｂ…演算部、７ｃ…駆動源制御部、８…入力装置、８ａ…第１外入力装置、８ｂ…第２外入力装置、８ｃ…第３外入力装置、８ｄ…第４外入力装置、８ｅ…第１内入力装置、８ｆ…第２内入力装置、９…第１入力部、９ａ…運転選択部、１０…第２入力部、１０ａ…かご停止部、１０ｂ…かご選択部、１０ｃ…外かご昇降部、１０ｄ…内かご昇降部、１０ｅ…第１方向部、１０ｆ…第２方向部、１０ｇ…移動部、１０ｈ…第１方向部、１０ｉ…第２方向部、１０ｊ…移動部、１１…中継部、１２…ケーブル
【図１】
2020117407.tif 000003
【図２】
2020117407.tif 000004
【図３】
2020117407.tif 000005
【図４】
2020117407.tif 000006